(57)【特許請求の範囲】
【請求項１】
本体外郭を構成する外郭ケースと、前記外郭ケース上面を構成し鍋を載置する天板と、前記外郭ケース前面を構成する前パネルと、前記天板下方に配置され前記鍋を誘導加熱する加熱コイルと、前記外郭ケース内部に設けられ前記加熱コイルに高周波電力を供給する回路ユニットと、前記加熱コイル及び前記回路ユニットに冷却風を送風する冷却ファンと、前記冷却ファンの前方で前記外郭ケース底面に設けられ、前記冷却ファンにより外気を前記本体に取り込むための吸気口部と、前記吸気口部を覆うように前記外郭ケース底面に固定され、複数の穴が形成された第１吸気口カバーと、装着時に、前記外郭ケースに保持され、複数の穴が形成され、前記第１吸気口カバーと対向して配置される対向部、及び前記本体前面に向かって立ち上がる傾斜面を有し、前記前パネルの下端と前記傾斜面の上端が隣接するように、前記外郭ケース前面から前記外郭ケース底面に略平行に移動させて挿抜可能とした第２吸気口カバーと、を備え、前記第１吸気口カバーに前記傾斜面と前記冷却ファンとの間で上方に立ち上がり、前記第２吸気口カバー装着時に前記傾斜面の上端よりも高い立壁を設け、前記傾斜面に複数の穴を設けるとともに、前記第１吸気口カバーは本体前面方向に突出する第１突起部を有し、前記第２吸気口カバーは本体後面方向に突出する第２突起部を設け、前記第２吸気口カバーを装着したとき、前記第２突起部下面が、前記第１突起部上面と接する構成とした誘導加熱調理器。
【請求項２】
前記立壁の前記本体前面方向に突出する第２の壁を、前記第２吸気口カバー装着時に前記傾斜面の上端よりも高い位置に有する構成とした請求項１に記載の誘導加熱調理器。
【請求項３】
前記第１突起部の両端部に、上方に立ち上がる横ずれ防止リブを形成した請求項１に記載の誘導加熱調理器。
【請求項４】
前記第２吸気口カバーを前面側に引き出すための指掛け部を形成する凹部を前記傾斜面に設け、前記凹部の本体後方側に前記第２突起部を設けた構成とした請求項１または３に記載の誘導加熱調理器。
【請求項５】
前記凹部を形成する壁面に前記本体内部に通じる穴を設けない請求項４に記載の誘導加熱調理器。
【請求項６】
前記第１吸気口カバーは、前記本体前面に向かって立ち上がり、前記第２吸気口カバーの後端部が、前記第２吸気口カバーを装着時に当接してスライドする傾斜面を有する第３突起部を設けた構成とした請求項１〜５のいずれか１項に記載の誘導加熱調理器。
【発明の詳細な説明】
【技術分野】
【０００１】
本発明は、一般家庭の台所や業務用厨房等で使用する、据え置き型の誘導加熱調理器に関するものである。
【背景技術】
【０００２】
従来この種の誘導加熱調理器は、本体前面を覆う前パネルの前面下部に、下に移動するのに従い後方へ向かう傾斜面を形成し、傾斜面に吸気口部の開口を形成している（例えば、特許文献１参照）。
【０００３】
図８は、特許文献１に記された従来の誘導加熱調理器を示すものである。図８に示すように、冷却ファン５１の吸気を本体外から取り込む吸気口部５２を、本体の下面に形成し、吸気口部５２に略格子状の吸気口カバー５３を嵌着するとともに、本体前面を覆う前パネル５４の前面下部に、下に移動するのに従い後方へ向かう傾斜面を形成し、傾斜面に吸気口部の開口５５を形成し、本体前面から冷却ファン５１へと外気を吸い込んでいる。傾斜面を形成することで、本体上部等に水をこぼした場合でも、傾斜面の吸気口部の開口５５近辺に水が到達する可能性を軽減しているものである。
【先行技術文献】
【特許文献】
【０００４】
【特許文献１】特開２００９−４１４３号公報
【発明の概要】
【発明が解決しようとする課題】
【０００５】
しかしながら、上記従来の構成は、本体前面に水をこぼした場合、床面で跳ね返った水が、前パネルの傾斜面に設けた、本体前面下方からも外気を吸気するための吸気口から本体内部に浸入する恐れがあるという課題を有していた。さらに、冷却ファンが回転している際には、冷却ファンにより吸い込まれるため、吸気口から水が浸入する可能性が高くなる。本体内に浸入した水は、冷却ファンにより、冷却風と共に加熱コイルや高周波電力を供給する回路ユニットなどに送られると、本体の故障につながるという課題を有していた。
【０００６】
本発明は前記従来技術における課題を解決するもので、本体内部への水の浸入を抑制する誘導加熱調理器を提供することを目的とする。
【課題を解決するための手段】
【０００７】
前記従来の課題を解決するために、本発明の誘導加熱調理器は、本体外郭を構成する外郭ケースと、前記外郭ケース上面を構成し鍋を載置する天板と、前記外郭ケース前面を構成する前パネルと、前記天板下方に配置され前記鍋を誘導加熱する加熱コイルと、前記外郭ケース内部に設けられ前記加熱コイルに高周波電力を供給する回路ユニットと、前記加熱コイル及び前記回路ユニットに冷却風を送風する冷却ファンと、前記冷却ファンの前方で前記外郭ケース底面に設けられ、前記冷却ファンにより外気を前記本体に取り込むための吸気口部と、前記吸気口部を覆うように前記外郭ケース底面に固定され、複数の穴が形成された第１吸気口カバーと、装着時に、前記外郭ケースに保持され、複数の穴が形成され、前記第１吸気口カバーと対向して配置される対向部、及び前記本体前面に向かって立ち上がる傾斜面を有し、前記前パネルの下端と傾斜面の上端が隣接するように、前記外郭ケース前面から前記外郭ケース底面に略平行に移動させて挿抜可能とした第２吸気口カバーと、を備え、前記第１吸気口カバーに前記傾斜面と前記冷却ファンとの間で上方に立ち上がり、前記第２吸気口カバー装着時に前記傾斜面の上端よりも高い立壁を設け、前記傾斜面に複数の穴を設けるとともに、前記第１吸気口カバーは本体前面方向に突出する第１突起部を有し、前記第２吸気口カバーは本体後面方向に突出する第２突起部を設け、前記第２吸気口カバーを装着したとき、前記第２突起部下面が、前記第１突起部上面と接する構成とした。
【発明の効果】
【０００８】
本発明の誘導加熱調理器は、本体前面下方からも外気を吸気する構成において、本体前面に水をこぼし、床面で跳ね返った水が本体前面下部の吸気口から浸入した場合でも、水が立壁で跳ね返り本体内部への水の浸入を抑制することができ、回路ユニットなどの故障を軽減し、品質の向上を図ることができる。また、第２吸気口カバー装着時に、第２吸気口カバーがたわむことを抑制することができ、第２吸気口カバーの強度、耐久性の向上を図ることができる。
【図面の簡単な説明】
【０００９】
【図１】本発明の実施の形態１における誘導加熱調理器の斜視図
【図２】本発明の実施の形態１における第１吸気口カバーおよび第２吸気口カバーの斜視図
【図３】本発明の実施の形態１における第１吸気口カバーに第２吸気口カバーを装着したときの斜視図
【図４】本発明の実施の形態１における誘導加熱調理器の断面図
【図５】本発明の実施の形態２における誘導加熱調理器の断面図
【図６】本発明の実施の形態３における第１吸気口カバーおよび第２吸気口カバーの断面図
【図７】本発明の実施の形態４における第２吸気口カバーの斜視図
【図８】従来例における誘導加熱調理器の斜視図
【発明を実施するための形態】
【００１０】
第１の発明は、本体外郭を構成する外郭ケースと、前記外郭ケース上面を構成し鍋を載置する天板と、前記外郭ケース前面を構成する前パネルと、前記天板下方に配置され前記鍋を誘導加熱する加熱コイルと、前記外郭ケース内部に設けられ前記加熱コイルに高周波電力を供給する回路ユニットと、前記加熱コイル及び回路ユニットに冷却風を送風する冷却ファンと、前記冷却ファンの前方で前記外郭ケース底面に設けられ、前記冷却ファンにより外気を前記本体に取り込むための吸気口部と、前記吸気口部を覆うように前記外郭ケース底面に固定され、複数の穴が形成された第１吸気口カバーと、装着時に、前記外郭ケースに保持され、複数の穴が形成され、前記第１吸気口カバーと対向して配置される対向部、及び前記本体前面に向かって立ち上がる傾斜面を有し、前記前パネルの下端と前記傾斜面の上端が隣接するように、前記外郭ケース前面から前記外郭ケース底面に略平行に移動させて挿抜可能とした第２吸気口カバーと、を備え、前記第１吸気口カバーに前記傾斜面と前記冷却ファンとの間で上方に立ち上がり、前記第２吸気口カバー装着時に傾斜面の上端よりも高い立壁を設け、前記傾斜面に複数の穴を設けるとともに、前記第１吸気口カバーは本体前面方向に突出する第１突起部を有し、前記第２吸気口カバーは本体後面方向に突出する第２突起部を設け、前記第２吸気口カバーを装着したとき、前記第２突起部下面が、前記第１突起部上面と接する構成としたことにより、本体前面下方からも外気を吸気する構成において、本体前面に水をこぼし、床面で跳ね返った水が本体前面下部の吸気口から浸入した場合でも、水が立壁で跳ね返り本体内部への水の浸入を抑制することができ、回路ユニットなどの故障を軽減し、品質の向上を図ることができる。また、第２吸気口カバーは着脱自在であるため、容易に清掃できる。さらに、本体前面に水をこぼし、床面で跳ね返った水が本体前面下部の吸気口から浸入し、立ち壁で跳ね返り、その一部の水が本体外に流れ出ず、第２吸気口カバーに付着したままであっても、第２吸気口カバーは着脱自在であるため付着した水分を拭き取ることが可能である。また、第２吸気口カバー装着時に、第２吸気口カバーがたわむことを抑制することができ、第２吸気口カバーの強度、耐久性の向上を図ることができる。
【００１１】
第２の発明は、特に、第１の発明において、前記立壁の前記本体前面方向に突出する第２の壁を、前記第２吸気口カバー装着時に傾斜面の上端よりも高い位置に有する構成としたことにより、本体内の他の部品との関係から、立壁の高さが充分取れず低い場合においても、本体前面に水をこぼし、床面で跳ね返った水が本体前面下部の吸気口から浸入した際、立壁を乗り越えることなく、第２の壁で跳ね返り本体内部への水の浸入を抑制することができ、回路ユニットなどの故障を軽減し、品質の向上を図ることができる。
【００１３】
第３の発明は、特に、第１の発明において、前記第１突起部の両端部に、上方に立ち上がる横ずれ防止リブを形成したことにより、第２吸気口カバー装着時に、横方向の位置を決めることができ、第２吸気口カバーが横方向にずれることを抑制することができる。
【００１４】
第４の発明は、特に、第１または第３の発明において、前記第２吸気口カバーを前面側に引き出すための指掛け部を形成する凹部を前記傾斜面に設け、前記凹部の本体後方側に前記第２突起部を設けた構成としことにより、第２吸気口カバーの着脱を容易に行うことができる。
【００１５】
第５の発明は、特に、第４の発明において、前記凹部を形成する壁面に前記本体内部に通じる穴を設けない構成としたことにより、凹部からは本体内に吸気されないので埃が堆積しにくく、第２吸気口カバー取り外し時に、手が堆積したホコリなどに触れにくいものとできる。
【００１６】
第６の発明は、特に、第１〜５のいずれか１つの発明において、前記第１吸気口カバーは、前記本体前面に向かって立ち上がり、前記第２吸気口カバーの後端部が、前記第２吸気口カバーを装着時に当接してスライドする傾斜面を有する第３突起部を設けた構成としたことにより、第２吸気口カバー装着時に、第３突起部により、第２吸気口カバーが本体の後方に移動するのに従い、下に向かうように誘うことができ、第２吸気口カバーの装着を容易に行うことができる。
【００１７】
以下、本発明の実施の形態について、図面を参照しながら説明する。なお、この実施の形態によって、本発明が限定されるものではない。
【００１８】
（実施の形態１）
図１は、本発明における第１の実施の形態における誘導加熱調理器の斜視図、図２は第１吸気口カバーおよび第２吸気口カバーの斜視図、図３は第２吸気口カバーを装着したときの斜視図、図４は本発明の実施の形態１における誘導加熱調理器の断面図を示す。
【００１９】
図１において、本体１はキッチン等の置き台に載置して使用する据え置き型のもので、本体の側面、後面、底面は外郭ケース４により構成されている。本体１の上面の外郭ケース４は、結晶化ガラスを素材とした鍋を載置する天板２の周囲を金属の構成部材から成るトップフレーム３で囲んで覆われている。本体１内部には誘導加熱手段を構成する加熱コイル５が配されている。
【００２０】
トップフレーム３下部で本体１の前面は、庫内にシーズヒーターを発熱体として備え、食材を加熱調理する加熱調理庫６の扉７と、扉７側方で本体前面を覆う前パネル１０とでその大部分を覆われている。扉７は把手を持って開閉操作する。前パネル１０内方には加熱コイル５に高周波電力を供給する回路ユニット８と、加熱コイル５と回路ユニット８などに冷却風を送風する冷却ファン９を回路ユニット８の前方に配置して備えている。
【００２１】
また、外郭ケース４の底面に、冷却ファン９に通じる吸気口部１１を設けている。吸気口部１１を覆うように構成され、外郭ケース４底面に固定されている第１吸気口カバー１２には複数の穴が設けられており、第２の吸気口１４としている。第１吸気口カバー１２の固定は、ビスを用い、外郭ケース４の底面にねじどめして固定する。第１吸気口カバー１２に設けられた第２の吸気口１４である複数の穴は、本体１内に指が入り冷却ファンに触り怪我をすることがないように、指の太さを目安として、最大部寸法をおよそ１０ｍｍ以下の大きさとする。さらに、略格子状とし、およそ１０ｍｍ四方以下の穴とすれば、本
体１内に浸入する塵や埃をより一層抑制することができる。吸気口部１１の形状は、本体１に対して外側に第１吸気口カバー１２が固定されており、指が入る恐れがないため、吸気口部１１の面積が第１吸気口カバー１２の大きさ以下であれば、穴は１つでも複数でも、また丸穴でも略格子状でも良いとする。第１吸気口カバー１２には、金属板で構成された外郭ケース４の吸気口部１１などのエッジ部分を覆う役割がある。
【００２２】
外郭ケース４底面に保持され、第１吸気口カバー１２と対向に設けられている第２吸気口カバー１３の対向部１９にも複数の穴が設けられており、第３の吸気口１５としている。対向部１９に設けられた第３の吸気口１５である複数の穴は、第２の吸気口１４と同様に、本体１内に指が入り冷却ファンに触り怪我をすることがないように、指の太さを目安として、最大部寸法をおよそ１０ｍｍ以下の大きさとする。さらに、略格子状とし、およそ１０ｍｍ四方以下の穴とすれば、本体１内に浸入する塵や埃をより一層抑制することができる。第２吸気口カバー１３を装着している状態において、本体１底面から吸気される外気はまず、対向部１９に設けられた第３の吸気口１５を通り、続いて第１吸気口カバー１２に設けられた第２の吸気口１４を通り、外郭ケース４の底面に設けられた吸気口部１１を通り冷却ファン９に取り込まれ、冷却風として、加熱コイル５および回路ユニット８などを冷却するために送風される。
【００２３】
第２吸気口カバー１３の傾斜面２０は、本体１前面に向かって立ち上がり、前パネル１０の下端と傾斜面２０の上端が隣接する構成としている。傾斜面２０に複数の穴を設け、第４の吸気口１６としている。これによって本体１底面からの吸気に加え、傾斜面２０に設けた第４の吸気口１６により本体１前面下方からも吸気することが可能になり、吸気能力の向上を図ることができる。また、前パネル１０の下端と傾斜面２０の上端が隣接する構成とすることにより、外気を本体１前面下方から吸気するにあたり、前パネル１０と第２吸気口カバー１３の傾斜面２０との隙間が殆どなくなり、本体１内に埃や塵が隙間から吸い込まれ浸入することを抑制することができる。第４の吸気口１６を、略格子状で、およそ１０ｍｍ四方以下の形状などにしておけば、本体１内に埃や塵が浸入することをさらに抑制することができる。
【００２４】
図２、図３において、第２吸気口カバー１３の保持は、外郭ケース４の底面に固定された第１吸気口カバー１２に、本体１前面から見て略Ｌ字断面形状の保持部１７を複数個設け、保持する構成としている。第２吸気口カバー１３は外郭ケース４の前面から外郭ケース４の底面に略平行にスライドし、複数個設けた保持部１７により図３のように保持し、着脱自在な構成としている。これにより、第２吸気口カバー１３は、本体１を設置したままの状態で、本体１前面から着脱することができ、清掃を容易に行うことができる。さらに、第１吸気口カバー１２を外郭ケース４底面に固定することで、第２吸気口カバー１３を装着し忘れた状態でも、本体１への塵や埃の浸入を抑制することができる。また、第２吸気口カバー１３を保持するという２つの役割を第１吸気口カバー１２のみで実現することができる。
【００２５】
また、図２、図３において、第３突起部３４は、第１吸気口カバー１２の本体１前面側に設けられ、本体前面に向かって立ち上がり、第２吸気口カバーの後端部が、第２吸気口カバーを装着時に当接してスライドする傾斜面を有する構成としたものである。これにより、第２吸気口カバー装着時に、第２吸気口カバーの後端部が、第３突起部３４の傾斜面に当接しスライドすることにより、第２吸気口カバーが本体の後方に移動するのに従い、下に向かうように誘うことができ、第２吸気口カバーの装着を容易に行うことができる。
【００２６】
図１において、第１吸気口カバー１２に、傾斜面２０と冷却ファン９との間に、上方に立ち上がる立壁１８を設けている。立壁１８の位置は、本体１前面に水をこぼし、床面で跳ね返った水が傾斜面２０の第４の吸気口１６から浸入した場合に、立壁１８で水を跳ね
返すため、傾斜面２０よりも本体１後方に存在する必要があり、浸入した水が冷却ファン９に吸い込まれないように、冷却ファン９よりも本体１前方に存在する必要があるため、傾斜面２０と冷却ファン９との間に設けている。
【００２７】
図４において、空気の経路４１は、冷却ファン９が回転することにより、本体１前面下方から傾斜面２０に設けた第４の吸気口１６を通って本体１内に吸い込まれた空気の経路を示している。水の経路４２は、本体１前面に水をこぼし、床面で跳ね返った水が傾斜面２０の第４の吸気口１６から浸入した場合の水の経路を示している。図４のように、立壁１８の高さは、第２吸気口カバー１３装着時に傾斜面２０の上端よりも高くなるように形成する。これは、第４の吸気口１６において、傾斜面２０の上端に近い開口から跳ね返った水が浸入しても、立壁で跳ね返るようにするためである。
【００２８】
図４のように、空気は軽いため、冷却ファン９が回転することにより、本体１前面下方から傾斜面２０に設けた第４の吸気口１６を通って本体１内に吸い込まれた空気の経路４１は、立壁１８を乗り越えて冷却ファン９に吸い込まれ、冷却風として、加熱コイル５および回路ユニット８などを冷却するために送風される。しかし、水は空気よりも重いため、本体１前面に水をこぼし、床面で跳ね返った水が傾斜面２０の第４の吸気口１６から浸入した場合の水の経路４２は、立壁１８で跳ね返り、傾斜面２０に設けられた第４の吸気口１６もしくは対向部１９に設けられた第３の吸気口１５から本体１の外側へと排出される。浸入した水の一部が本体１の外側へと流れ出ず、第２吸気口カバー１３に付着したままであっても、第２吸気口カバー１３は着脱自在であるため付着した水分を拭き取ることが可能である。また、浸入した水の一部が立壁１８の本体１前面側や第１吸気口カバー１２の本体１外側に付着した場合にも、第２吸気口カバー１３を取り外し、付着した水分を拭き取ることが可能である。
【００２９】
以上のように、本実施の形態においては、第２吸気口カバー１３の傾斜面２０に第４の吸気口１６を設け、第１吸気口カバー１２に、傾斜面２０と冷却ファン９との間に、上方に立ち上がる立壁１８を設け、第２吸気口カバー１３の傾斜面２０に第４の吸気口１６を設けることにより、本体前面下方からも外気を吸気する構成において、本体前面に水をこぼし、床面で跳ね返った水が傾斜面２０の第４の吸気口１６から浸入した場合でも、水が立壁１８で跳ね返り本体内部への水の浸入を抑制することができ、回路ユニット８などの故障を軽減し、品質の向上を図ることができる。
【００３０】
（実施の形態２）
図５は本発明における第２の実施の形態における誘導加熱調理器の断面図を示す。なお、本実施の形態の基本構成は実施の形態１と同じなので、異なる点を中心に説明する。また、実施の形態１と同じ要素には同じ符号を付し、その説明は省略する。
【００３１】
図５において、第２の壁２８は、立壁１８の本体前面方向に突出し、第２吸気口カバー装着時に傾斜面の上端よりも高い位置に設けたものである。前パネル１０の補強のために前パネルの本体１後方側に補強のリブを立てるなど別の部品の存在により、立壁１８の高さが充分に確保できない場合においても、本体前面に水をこぼし、床面で跳ね返った水が傾斜面２０の第４の吸気口１６から浸入した際、水の経路４２のように、立壁１８を乗り越えることなく、立壁１８もしくは第２の壁で跳ね返り、傾斜面２０に設けられた第４の吸気口１６もしくは対向部１９に設けられた第３の吸気口１５から本体１の外側へと排出される。浸入した水の一部が本体１の外側へと流れ出ず、第２吸気口カバー１３に付着したままであっても、第２吸気口カバー１３は着脱自在であるため付着した水分を拭き取ることが可能である。また、浸入した水の一部が立壁１８の本体１前面側や第１吸気口カバー１２の本体１外側に付着した場合にも、第２吸気口カバー１３を取り外し、付着した水分を拭き取ることが可能である。図５のように、第２の壁２８は、第２吸気口カバー１３
装着時に傾斜面２０の上端よりも高くなる位置に設けている。これは、第４の吸気口１６において、傾斜面２０の上端に近い開口から跳ね返った水が浸入しても、第２の壁２８で跳ね返るようにするためである。
【００３２】
（実施の形態３）
図６は本発明における第３の実施の形態における第１吸気口カバー１２および第２吸気口カバー１３の断面図を示す。なお、本実施の形態の基本構成は実施の形態１と同じなので、異なる点を中心に説明する。また、実施の形態１と同じ要素には同じ符号を付し、その説明は省略する。
【００３３】
図６において、第１突起部３１は、第１吸気口カバー１２に設けられ本体前面方向に突出する構成とし、第２突起部３２は、第２吸気口カバー１３に設けられ本体後面方向に突出する構成としている。図６のように第２吸気口カバー１３を装着したとき、第２突起部３２下面が、第１突起部３１上面と接する構成としている。
【００３４】
図１、図２、図３のように、第２吸気口カバー１３の保持は、外郭ケース４の底面に固定された第１吸気口カバー１２に、本体１前面から見て略Ｌ字断面形状の保持部１７を複数個設け、保持する構成としている。第２吸気口カバー１３は外郭ケース４の前面から外郭ケース４の底面に略平行にスライドし、複数個設けた保持部１７により図３のように保持し、着脱自在な構成としている。このため、第２吸気口カバー１３は両端を保持されており、中央がたわみやすい構成となっている。中央がたわむと中央部により応力がかかりやすくなり、第２吸気口カバー１３の強度、耐久性が低下してしまう。図２のように、第１吸気口カバー１２の中央に本体前面方向に突出する第１突起部３１を、第２吸気口カバー１３の中央に本体後面方向に突出する第２突起部３２を設け、図６のように第２吸気口カバー１３を装着したとき、第２突起部３２下面が、第１突起部３１上面と接する構成とすることにより、補強のためにリブや他の部品を追加することなく、第２吸気口カバー１３装着時に、第２吸気口カバー１３がたわむことを抑制することができ、第２吸気口カバー１３の強度、耐久性の向上を図ることができる。
【００３５】
図２、図３において、横ずれ防止リブ３３は、第１突起部３１の両端部に、上方に立ち上がる構成としている。図２、図３のように、横ずれ防止リブ３３を設けることにより、第２吸気口カバー１３装着時に、横方向の位置を決めることができ、第２吸気口カバー１３が横方向にずれることを抑制することができる。また横方向の位置が決まりやすくなるため、第２吸気口カバー１３の装着を容易に行うことができる。
【００３６】
（実施の形態４）
図７は本発明における第４の実施の形態における第２吸気口カバーの斜視図を示す。なお、本実施の形態の基本構成は実施の形態１と同じなので、異なる点を中心に説明する。また、実施の形態１と同じ要素には同じ符号を付し、その説明は省略する。
【００３７】
図７において、本体１前面に露出する傾斜面２０には、第４の吸気口１６に挟まれた略中央部分に、第２吸気口カバー１３を取り外し時に指先を引っ掛ける指掛け部２１の外形を傾斜面２０と一致させ奥方に窪んだ凹部２２として指先が納まる空間とし、先端を下向きのリブ状として設けている。第２吸気口カバー１３は、指先を凹部２２に入れるように指掛け部２１に引っ掛けて本体１の前方方向に引き出すことで第１吸気口カバー１２または外郭ケース４底面から取り外すことができる。凹部壁面２３は、第２吸気口カバー１３を構成する傾斜面２０に設けた指掛け部２１奥方の凹部２２を形成するものであり、図２のように、凹部壁面２３の本体後方側に第２突起部３２を設けた構成としている。これにより、傾斜面２０に第２突起部３２を設ける構成に比べ、第１突起部３１までの距離が短くなり、第２突起部３２の本体後面方向へ突出する長さが短くなるため、第２突起部３２
の強度が向上し、耐久性の向上を図ることができる。また、第２突起部３２の上面に、本体の前後方向に形成され、凹部壁面２３へと延び、上方に立ち上がるリブを設けることにより、第１突起部３１の上面と接することに影響を与えることなく、第２突起部３２の強度をさらに向上させることができる。
【００３８】
図７のように指掛け部２１の外形を傾斜面２０と一致させ、傾斜面２０より前方に出ないので、本体１を調理などで使用時に不意に指掛け部２１に触れることが低減され、意図せず第２吸気口カバー１３を外してしまうことを防ぐ。第４の吸気口１６に挟まれた略中央部分に、指掛け部２１の上辺と第４の吸気口１６の上辺とをほぼ一致させて奥部を凹部２２として配するので、外面が変化している凹部２２を目印に第２吸気口カバー１３を取り外す際に指先を引っ掛けて引っ張ることで、取り外し動作をする部分が容易に判り、第２吸気口カバー１３の着脱操作を迷わずに簡単に行うことができる。また、第２吸気口カバー１３の第４の吸気口１６範囲の上辺と指掛け部２１の上辺とがほぼ一致するので、引っ掛け部が目立たない外観とできる。
【００３９】
また、図７のように凹部壁面２３には、本体１の内部に通じる穴を設けないように構成している。これにより、凹部２２からは直接本体１内に吸気される経路はないので、第２吸気口カバー１３を取り外し時に指先が触れる、指掛け部２１とその奥方の凹部２２には埃が堆積しにくく、第２吸気口カバー１３取り外し時に指先が埃に触れることが少なく、快適に第２吸気口カバー１３を取り外すことができる。
【産業上の利用可能性】
【００４０】
以上のように、本発明にかかる誘導加熱調理器は、第１吸気口カバーに傾斜面と冷却ファンとの間で上方に立ち上がり、第２吸気口カバー装着時に傾斜面の上端よりも高い立壁を設け、傾斜面に複数の穴を設けた構成とすることにより、本体前面下方からも外気を吸気する構成において、本体前面に水をこぼし、床面で跳ね返った水が本体前面下部の吸気口から浸入した場合でも、水が立壁で跳ね返り本体内部への水の浸入を抑制することができ、回路ユニットなどの故障を軽減し、品質の向上を図ることができるため、設置形態にとらわれず、誘導加熱調理機器全般等の用途にも適用できる。
【符号の説明】
【００４１】
１  本体
２  天板
３  トップフレーム
４  外郭ケース
５  加熱コイル
６  加熱調理庫
７  扉
８  回路ユニット
９  冷却ファン
１０  前パネル
１１  吸気口部
１２  第１吸気口カバー
１３  第２吸気口カバー
１４  第２の吸気口
１５  第３の吸気口
１６  第４の吸気口
１７  保持部
１８  立壁
１９  対向部
２０  傾斜面
２１  指掛け部
２２  凹部
２３  凹部壁面
２８  第２の壁
３１  第１突起部
３２  第２突起部
３３  横ずれ防止リブ
３４  第３突起部
４１  空気の経路
４２  水の経路
５１  冷却ファン
５２  吸気口部
５３  吸気口カバー
５４  前パネル
５５  吸気口部の開口
【図１】
0005476921.tif 000002
【図２】
0005476921.tif 000003
【図３】
0005476921.tif 000004
【図４】
0005476921.tif 000005
【図５】
0005476921.tif 000006
【図６】
0005476921.tif 000007
【図７】
0005476921.tif 000008
【図８】
0005476921.tif 000009